【事件の表示】
　平成　４年特許願第１０７３６１号「水切り換え装置」拒絶査定に対する審判事件［平成　５年１１月１６日出願公開、特開平　５−３０２６７９］について、次のとおり審決する。
【結　論】
　本件審判の請求は、成り立たない。
【理　由】
１．手続の経緯・本願発明
　本願は、平成４年４月２７日の出願であって、本願の請求項１に係る発明は、平成１２年１０月５日付けと平成１４年５月１６日付けの手続補正書によって補正された明細書及び願書に添付した図面の記載からみて、その特許請求の範囲の請求項１に記載された次のとおりのもの（以下、「本願発明」という。）と認める。
　「【請求項１】流入口と、前記流入口と常に接続されている第一の吐水口と、前記流入口との接続が開閉される第二の吐水口と第三の吐水口を備えた本体と、前記本体内にスライド自在に保持された弁棒と、前記弁棒とともに移動し前記流入口と前記第二の吐水口との接続または該流入口と前記第三の吐水口との接続を開閉する球状の弁と、前記弁棒をスライドさせるレバーを備えた開閉手段とを備え、前記第二の吐水口と前記第三の吐水口が前記開閉手段により開閉され、前記第一の吐水口と前記第二の吐水口の両方または前記第一の吐水口と前記第三の吐水口の両方から同時に水を放出させることを特徴とする水切り換え装置。」
　
２．引用刊行物及びその記載事項
　これに対して、当審における平成１４年３月１４日付けで通知した拒絶の理由に引用した特開平２−２６１５１０号公報（以下、「第１引用例」という。）には、切換弁に関して、次のような記載がある。
　Ａ）「第１図は本発明の実施例における濾過器を示すものである。第１図において、１は水路切換部、２は濾材収容部である。なお３は水栓の吐出管である。４は濾過用カートリッジである。」（第２頁右下欄１１〜１５行）
　Ｂ）「１０は水路切換部の主要部材となる弁部材である。弁部材１０には、ケーシング部１２、原水導入口１３、濾材側供給水路１４が形成されている。」（第３頁左上欄１２〜１５行）
　Ｃ）「１７は弁座部材であり、ケーシング部材１８に形成された開口に埋め込まれている。弁座部材１７には原水をストレートに吐出させる為の原水ストレート出口１５および原水をシャワー側から吐出させる為のシャワー出口１６が形成されている。」（第３頁右上欄１〜６行）
　Ｄ）「ケーシング部材１８と弁部材１０のケーシング部１２によって筒状弁ケーシングが形成されており、この筒状弁ケーシングに棒状部材２０がスライド可能に収容されている。・・・（途中省略）・・・２２は弁球、２３は棒状部材２０に形成された弁球収容部であり、弁球２２は弁球収容部２３に収容されている。そして、弁球２２によって原水ストレート出口１５またはシャワー出口１６を塞ぐように構成されている。」（第３頁右上欄１４行〜左下欄４行）
　Ｅ）「３０は弁部材１０に回転可能に取り付けられたねじ部材であり、その中央孔には二条雌ねじが形成されている。３１ａおよび３１ｂはそれぞれ棒状部材２０に設けられた突起であり、突起３１ａ，３１ｂが上記二条雌ねじに螺合しており、ねじ部材３０を回転させると棒状部材２０は直線的に移動するようになっている。」（第３頁左下欄１９行〜右下欄６行）
　Ｆ）「第１図に示す濾過状態では、棒状部材２０は図面上にて最も右側に位置している。すなわちこの状態では、原水導入口１３から濾材側供給水路１４への水路が開かれる事となり、またパッキン２１ａ，２１ｂによってケーシング部材１８内への水の流入が阻止され、原水導入口１３から弁ケーシング内へ流入した水は濾材側供給水路１４に流れ込み、そのまま注入管４を通って濾過用カートリッジ４に流れ込む。・・・（途中省略）・・・
　第２図は原水ストレート吐出状態を、また第３図はシャワー状態をそれぞれ示す。第２図の原水ストレート吐出状態では、弁球２２はシャワー出口１４を塞ぐ。・・・（途中省略）・・・第３図のシャワー状態では、弁球２２は原水ストレート出口１３塞ぐ。」（第３頁右下欄１８行〜第４頁左上欄２０行）
　Ｇ）第２図、第３図には、原水ストレート吐出状態、シャワー状態においては、パッキン２１ａ，２１ｂによって濾材側供給水路１４への水の流入が阻止されていることが記載されている。
　
　上記Ａ）〜Ｇ）の記載から、上記第１引用例の切換弁は、原水導入口１３を水栓の吐出管３に連結して用いられ、外部への直接の吐水を行う原水ストレート出口１５とシャワー出口１６、並びに水栓の吐出管３から分岐する濾過器に吐水を行う濾材側供給水路１４を備えたものであって、その筒状弁ケーシングに原水導入口１３、原水導入口１３と接続されている濾材側供給水路１４、原水ストレート出口１５とシャワー出口１６が備えられ、棒状部材２０が筒状弁ケーシング内にスライド自在に保持され、棒状部材２０とともに移動して原水導入口１３と原水ストレート出口１５との接続または原水導入口１３とシャワー出口１６との接続を開閉する弁球２２と、棒状部材２０をスライドさせるねじ部材３０を備えた開閉手段を有しているものと認める。
　したがって、上記第１引用例には、
　「原水導入口１３と、前記原水導入口１３と接続されている濾材側供給水路１４と、前記原水導入口１３との接続が開閉される原水ストレート出口１５とシャワー出口１６を備えた筒状弁ケーシングと、前記筒状弁ケーシング内にスライド自在に保持された棒状部材２０と、前記棒状部材２０とともに移動し前記原水導入口１３と前記原水ストレート出口１５との接続または該原水導入口１３と前記シャワー出口１６との接続を開閉する弁球２２と、前記棒状部材２０をスライドさせるねじ部材３０を備えた開閉手段とを備え、前記原水ストレート出口１５と前記シャワー出口１６が前記開閉手段により開閉される切換弁。」
　の発明が記載されているものと認める。
　
同じく、当審における平成１４年３月１４日付けで通知した拒絶の理由に引用した実願平２−４１４３０号（実開平４−１２６６号）のマイクロフィルム（以下、「第２引用例」という。）には、給水分岐具に関して、次のような記載がある。
　Ｈ）「実施例の給水分岐具は、蛇口１１のまわりにビス１２により固定される接続リング１３と、その接続リング１３にナット１４を介して着脱自在に連結された分岐具本体１５とから成る。
　分岐具本体１５は上端に流入口１６を有する。流入口１６は本体１５の内部に設けられた弁室１７と通じている。弁室１７の一端は上下方向の隔壁１８により流出口１９と区画され、弁室１７と流出口１９とは隔壁１８に設けた弁孔２０を介して連通される。
　上記の弁孔２０と対向した弁室１７の他端の部分は、本体１５が側方に突き出しており、その先端に弁孔２０と中心線が一致する取水口２１が設けられる。
・・・（途中省略）・・・
　また、一方の摺動部２４の内端には弁板２５が固着され、この弁板２５により弁孔２０を閉塞する。弁体２３の中央部分の外径面には、上下にリブ２６、２６が設けられ（第３図参照）、弁室１７の内壁面に設けた平行２本のガイドリブ２７、２７の間にリブ２６、２６を嵌めることにより、弁体２３を左右方向に案内する。また弁体２３の中央部分に断面矩形の貫通孔２８が径方向に形成され、外部から挿入されたハンドル２９の偏心ピン３０がその貫通孔２８に挿入される。・・・（途中省略）・・・図中３６は器具の一例としての食器洗浄機、３３は給水ホース、３４はその継手である。・・・（途中省略）・・・
　いま、ハンドル２９を閉の位置（第１図のＢ参照）に向けたまま蛇口１１の栓を開放すると、水は流入口１６から弁室１７に入り、矢印ａで示すように取水口２１を経て給水ホース３３に流出する。弁孔２０は弁板２５により閉塞されているので流出口１９へは流出しない。
　ハンドル２９をＡの位置に回すと、偏心ピン３０が第２図の一点鎖線で示すように貫通孔２８の右内壁に接触するように移動し、同時に弁体２３を右方へ移動させる。これにより弁板２５が弁孔２０から離れ、流出口１９から水が流出する。この状態においても取水口２１は閉塞されないので、水は引き続き給水ホース３３に流出する。（第３頁１９行〜第６頁１８行）」
　
　上記Ｈ）の記載から、上記第２引用例には、分岐具本体１５は、流入口１６を蛇口に連結して用いられ、外部への直接の吐水を行う流出口１９と、蛇口から分岐する器具に吐水を行う取水口２１とを備えるとともに、流入口１６と流出口１９との接続を開閉する弁体２３と、弁体２３をスライドさせるハンドル２９を備えた開閉手段を有し、蛇口から分岐する器具に吐水を行う取水口２１を流入口１６と常に接続させることによって、取水口２１と流出口１９の両方から同時に水を放出できるようにした給水分岐具。
　の発明が記載されているものと認める。
　
３．本願発明と第１引用例に記載された発明との対比
　本願発明と第１引用例に記載された発明とを対比すれば、第１引用例に記載された発明の「原水導入口１３」、「濾材側供給水路１４」、「原水ストレート出口１５」、「シャワー出口１６」、「筒状弁ケーシング」、「棒状部材２０」、「弁球２２」、「ねじ部材３０」は、それぞれ本願発明の「流入口」、「第一の吐水口」、「第二の吐水口」、「第三の吐水口」、「本体」、「弁棒」、「球状の弁」、「レバー」に相当し、さらに、「切換弁」は「水切り換え装置」である。
　したがって、本願発明は第１引用例に記載された発明と、
　「流入口と、前記流入口と接続されている第一の吐水口と、前記流入口との接続が開閉される第二の吐水口と第三の吐水口を備えた本体と、前記本体内にスライド自在に保持された弁棒と、前記弁棒とともに移動し前記流入口と前記第二の吐水口との接続または該流入口と前記第三の吐水口との接続を開閉する球状の弁と、前記弁棒をスライドさせるレバーを備えた開閉手段とを備え、前記第二の吐水口と前記第三の吐水口が前記開閉手段により開閉される水切り換え装置。」
　である点で一致し、以下の相違点で相違している。
＜相違点＞
　本願発明の第一の吐水口は流入口と常に接続され、第一の吐水口と第二の吐水口の両方または第一の吐水口と第三の吐水口の両方から同時に水を放出させているのに対し、第１引用例に記載された発明の第一の吐水口（濾材側供給水路１４）は、流入口（原水導入口１３）と接続されているものの、常に接続されるものではなく、それゆえ、第二の吐水口（原水ストレート出口１５）または第三の吐水口（シャワー出口１６）から水を放出させるときに、第一の吐水口（材側供給水路１４）から同時に水を放出させるものではない点。
　　
４．相違点の検討
　第１引用例で示される水切り換え装置は、飲料水を濾過する浄水器に接続して使用されているが、浄水器に接続する吐水口を、水道の蛇口と接続する流入口と常に接続可能な状態にしておくことも必要に応じて行われている（例えば、特開昭５３−１２４６７２号公報参照）。そして、上記のとおり、第２引用例には、第１引用例に開示された水切り換え装置と同様に、弁体をスライドさせることによって水路の切り換えを行う給水分岐具において、当該分岐具に接続した器具に吐水を行う吐水口（取水口２１）を流入口１６と常に接続させておく構成が示されているから、第１引用例記載の水切り換え装置において、第２引用例記載の技術を適用して、蛇口から分岐する濾過器に接続される濾材側供給水路１４を、蛇口に連結した原水導入口１３と常に接続させることによって、外部への直接の吐水を行う原水ストレート出口１５またはシャワー出口１６からの水の放出と、濾材側供給水路１４からの水の放出を同時に行えるようにすることは当業者が容易に行うことができたものである。
　そして、本願発明による作用効果は、上記第１引用例に記載された発明に、第２引用例に記載された発明を適用することにより得られる作用効果を越えるものでもない。
　
　５．むすび
　以上のとおりであるから、本願の請求項１に記載された発明は、上記引用例１，２に記載された発明に基づいて、当業者が容易に発明をすることができたものであるから、特許法第２９条第２項の規定により特許を受けることができない。
　よって、結論のとおり審決する。